(57)【要約】【課題】室内が広く感じるようになり、窓から見える外の景色も視野の広いものになる窓構造を提供すること。【解決手段】浴室１０の壁面部１１に窓２０を設けた。そして、浴室１０の左壁面パネル１４と窓２０の左側面パネル２３とが同一面内に位置するようにし、左壁面パネル１４に対向する右壁面パネル１５と窓２０の右側面パネル２４とが同一面内に位置するようにした。その際、左壁面パネル１４と左側面パネル２３との端面および右壁面パネル１５と右側面パネル２４との端面をそれぞれ接面させて、接合金具２７ｃで固定した。さらに、窓２０に、左側面開閉窓３２ｂ、右側面開閉窓３３ｂおよび天井開閉窓３４ｂを設けた。【選択図】  図１
2004162272.tif 000002
【特許請求の範囲】
【請求項１】
建造物の室内における相対向する側壁面の一方側の縁部を結ぶ外側壁面に設けられた窓を備えた窓構造であって、前記相対向する側壁面の各側壁面と、前記各側壁面側に位置する前記窓の各内側面とをそれぞれ、略同一面内に位置させて前記窓を取り付けたことを特徴とする窓構造。
【請求項２】
前記側壁面を構成する板材の端面と、前記窓の内側面を構成する板材の端面とを接面させて連結することにより、前記側壁面と前記窓の内側面とを、略同一面内に位置させた請求項１に記載の窓構造。
【請求項３】
前記相対向する側壁面の一方側の縁部間の下部に設けられ前記外側壁面の下部を構成する下部壁の上端に窓のカウンター部を構成する板材を取り付け、前記カウンター部を構成する板材の両側端に、それぞれ前記窓の内側面を構成する板材を取り付けたのちに、前記外側壁面の上部を構成する欄間を、前記相対向する側壁面の一方側の縁部間の上部に取り付け、ついで、前記内側面を構成する板材の上端に前記窓の天井面を構成する板材を取り付けて構成される請求項１または２に記載の窓構造。
【請求項４】
前記窓の側面または天井面にも窓を形成した請求項１ないし３のうちのいずれか一つに記載の窓構造。
【請求項５】
前記構造物の室が浴室である請求項１または４のうちのいずれか一つに記載の窓構造。
【発明の詳細な説明】
【０００１】
【発明の属する技術分野】
本発明は、建造物の壁面に設けられる出窓等の窓を備えた窓構造に関する。
【０００２】
【従来の技術】
従来から、建造物の部屋、例えば、浴室の壁面に、窓とカウンターを備えた出窓等の窓を設けて、窓から見える外の景色を眺めたり、カウンターに花や観葉植物等の観賞物を置いて眺めたりすることが行われている（例えば、特許文献１）。そして、この窓を組み立てる際には、まず、窓を設ける壁面に、窓開口部を設け、この窓開口部に、窓のカウンター部、両側部および天井部を構成する窓接続枠を取り付けている。そして、ジョイント部材を用いて、窓接続枠と室内の側壁を構成する壁パネルとを連結している。
【０００３】
【特許文献１】
特開平７−２６７５３号公報
【０００４】
【発明が解決しようとする課題】
しかしながら、前述した従来の窓構造では、壁面に設けた窓開口部に、窓接続枠を取り付けるため、窓の大きさ、特に幅は、壁面の大きさに比べてかなり小さなものになる。この結果、室内が狭く感じるとともに、窓から見える外の景色も視野の狭いものになるという問題がある。
【０００５】
【発明の概要】
本発明は、上記問題に対処するためになされたもので、その目的は、室内が広く感じるようになり、窓から見える外の景色も視野の広いものになる窓構造を提供することである。
【０００６】
上記の目的を達成するため、本発明にかかる窓構造の特徴は、建造物の室内における相対向する側壁面の一方側の縁部を結ぶ外側壁面に設けられた窓を備えた窓構造であって、相対向する側壁面の各側壁面と、各側壁面側に位置する窓の各内側面とをそれぞれ、略同一面内に位置させて窓を取り付けたことにある。
【０００７】
前記のように構成した本発明の窓構造によれば、室内における相対向する側壁面の各側壁面と、各側壁面に対応する窓の各内側面とがそれぞれ、略同一面内に位置するため、窓の幅と、窓が設けられる外側壁面の幅とが略同一になる。したがって、室内から窓を通して見える外の景色が広がるとともに、室内の広さも広く感じるようになる。これによって、部屋の開放感や快適さが増すようになる。
【０００８】
また、本発明にかかる窓構造の他の構成上の特徴は、側壁面を構成する板材の端面と、窓の内側面を構成する板材の端面とを接面させて連結することにより、側壁面と窓の内側面とを、略同一面上に位置させたことにある。これによると、簡単な施工方法で、室内を広く感じさせたり、室内からの視界を広くしたりすることができる。
【０００９】
また、本発明にかかる窓構造のさらに他の構成上の特徴は、相対向する側壁面の一方側の縁部間の下部に設けられ外側壁面の下部を構成する下部壁の上端に窓のカウンター部を構成する板材を取り付け、カウンター部を構成する板材の両側端に、それぞれ窓の内側面を構成する板材を取り付けたのちに、外側壁面の上部を構成する欄間を、相対向する側壁面の一方側の縁部間の上部に取り付け、ついで、内側面を構成する板材の上端に窓の天井面を構成する板材を取り付けて構成されることにある。
【００１０】
これによると、予め準備された枠状の窓構成用の部材を、外側壁面に設けた開口部に取り付けるのではなく、窓を構成する各板材を順次取り付けていくため、側壁面と窓の内側面とを略同一面上に位置させるための施工が容易になる。
【００１１】
また、本発明にかかる窓構造のさらに他の構成上の特徴は、窓の側面または天井面にも窓を形成したことにある。これによると、窓から見える視界がさらに広くなる。すなわち、窓の側面に窓を形成することにより、窓の正面の窓から見える景色の左右に続く景色も見ることができ、天井面に窓を形成することにより空を眺めることができる。また、正面に設けられる窓に加えて、側面と天井面の双方に窓を設けることにより、さらに、視界が広くなり、快適さが増す。
【００１２】
また、本発明にかかる窓構造のさらに他の構成上の特徴は、窓が設けられる建造物の室を浴室にしたことにある。これによると、窓を通して外の景色や夜空を見ながら入浴をしたり、窓のカウンターに花等を置いてその花等を見ながら入浴したりすることができる。その結果、より快適な心地よい入浴ができる。
【００１３】
【発明の実施の形態】
以下、本発明の一実施形態を図面を用いて説明する。図１は本発明による窓構造を備えた浴室１０を示している。この浴室１０では、浴室１０内と屋外とを仕切る壁面部１１に窓２０が設けられており、この窓２０側に浴槽１３が設けられている。そして、浴槽１３の左右（図１では前後）の側面は、左壁面パネル（図３参照）１４と右壁面パネル１５とで挟まれている。この左壁面パネル１４と右壁面パネル１５とで、本発明の相対向する側壁面が構成される。
【００１４】
窓２０は、図１ないし図３に示すように、壁面部１１から屋外側に突出して設けられている。すなわち、この窓２０は、屋外に向かって突出した四角枠状の窓枠部２１と、窓枠部２１の外側の周縁部に取り付けられた窓部３０とで構成されている。そして、この窓２０は、間隔を保って取り付けられた壁面部１１の下部を構成する下部壁面パネル１１ａと壁面部１１の上部を構成する欄間パネル１１ｂとの間に設けられている。
【００１５】
窓枠部２１は、図４に示すように、下部を構成するカウンター部２２、左右の側面を構成する左側面パネル２３、右側面パネル２４および上部を構成する上部パネル２５とで構成されている。また、下部壁面パネル１１ａと欄間パネル１１ｂとの外面側には、それぞれ梁２６ａ，２６ｂが下部壁面パネル１１ａと欄間パネル１１ｂとに沿って水平方向に設けられており、梁２６ａにカウンター部２２が支受されて、固定金具２７ａ等で固定されている。また、上部パネル２５は、固定金具２７ｂ等によって、欄間パネル１１ｂに固定されている。これらの固定によって、窓枠部２１は、壁面部１１に取り付けられている。
【００１６】
また、左壁面パネル１４と左側面パネル２３とは、同一面内に位置するように端面同士を接面させて連結金具２７ｃによって連結固定され、右壁面パネル１５と右側面パネル２４とは、同一面内に位置するように端面同士を接面させて連結金具２７ｃによって連結固定されている。また、窓枠部２１を構成するカウンター部２２、左側面パネル２３、右側面パネル２４および上部パネル２５の各パネルは、それぞれ隣り合ったパネルと、固定金具２７ｄ，２７ｅによって連結固定されている。そして、壁面部１１および窓枠部２１は、梁２６ａ，２６ｂが組み付けられた支柱２８ａ，２８ｂによって、梁２６ａ，２６ｂを介して支えられている。
【００１７】
また、カウンター部２２は、窓部３０内まで延びて幅広に形成されている。このカウンター部２２の高さは、浴槽１３の上端よりも高くなるように設定されている。そして、このカウンター部２２には、鉢に植えられた花や観葉植物等（図示せず）を置いて、入浴しながら観賞することができる。
【００１８】
窓部３０は、底面および各縁部がアルミニウム製の板材や枠材で構成されており、下端面を構成する四角板状の底面部３１と、左側面を構成する左枠部３２、右側面を構成する右枠部３３、天井部を構成する上枠部３４および前端面を構成する前枠部３５とを備えている。左枠部３２と右枠部３３との上端縁部は、外部側が下方になった下り傾斜になって、左枠部３２と右枠部３３とは、台形の枠状に形成されている。また、上枠部３４と前枠部３５とは、四角枠状に形成されている。
【００１９】
底面部３１は、固定金具３１ａ等によって、左右両端部を梁２６ａに固定され、左枠部３２の下端部は、固定金具３２ａによって、梁２６ａに固定され、左枠部３２の上端部は、固定金具（図示せず）によって、上部パネル２５に固定されている。また、右枠部３３の下端部は、固定金具３３ａによって、梁２６ａに固定され、右枠部３３の上端部は、固定金具３３ｃによって、上部パネル２５に固定されている。また、底面部３１と左枠部３２および底面部３１と右枠部３３とはそれぞれねじによって連結されている。
【００２０】
上枠部３４は、左枠部３２と右枠部３３の上端縁部に沿って、外部側が下方になった傾斜状に取り付けられており、室内側の上端部が、固定金具３４ａによって、梁２６ｂに固定され、両側部がそれぞれ、左枠部３２または右枠部３３の上端縁部にねじによって連結されている。そして、底面部３１、左枠部３２、右枠部３３および上枠部３４の先端部に形成される周縁部に前枠部３５が取り付けられている。前枠部３５と、底面部３１、左枠部３２、右枠部３３および上枠部３４との対応する部分もそれぞれねじによって連結されている。
【００２１】
左枠部３２および右枠部３３の内部には、それぞれ開閉可能な左側面開閉窓３２ｂおよび右側面開閉窓３３ｂが設けられており、上枠部３４の内部には、開閉可能な天井開閉窓３４ｂが設けられている。このため、左側面開閉窓３２ｂ、右側面開閉窓３３ｂおよび天井開閉窓３４ｂを開けて浴室１０内を換気したり、ガラスを通さず直接外の景色や夜空を見たりすることができる。
【００２２】
前枠部３５の内周面の上下部における外部側と内部側とには、それぞれ上下一対からなるレール３５ａ，３５ｂが設けられており、そのレール３５ａ，３５ｂにそれぞれスライド式のガラス戸３６ａ，３６ｂが設けられている。このため、ガラス戸３６ａ，３６ｂを開けて浴室１０内の換気をしたり、ガラスを通さず直接外の景色等見たりすることができる。
【００２３】
また、浴室１０内の右壁面パネル１５に沿った浴槽１３の横の部分には、浴槽１３の上面よりもやや低くなった洗い場カウンター１６が設けられ、その洗い場カウンター１６と浴槽１３との間には、水栓１７が設けられている。洗い場カウンター１６は、洗面器等を置くことができ、水栓１７は、浴槽１３と洗い場カウンター１６との間で回動可能になって、浴槽１３と洗い場カウンター１６との双方に水や湯を供給できる。
【００２４】
そして、洗い場カウンター１６の上部には、浴室１０内に向って突出したミラーパネル１５ａが設けられ、そのミラーパネル１５ａに、洗面用具や入浴用具（図示せず）を置くための収容棚１８および鏡１９が取り付けられている。また、鏡１９の下方にはシャワー１７ａが取り付けられている。
【００２５】
この構成において、入浴者が浴室１０内で入浴する際には、ガラス戸３６ａ，３６ｂ、左側面開閉窓３２ｂ、右側面開閉窓３３ｂおよび天井開閉窓３４ｂを通して、外部の景色や夜空を見ることができる。この場合、窓２０が、壁面部１１の幅と同じ幅に形成されているため、視界が広くなる。さらに、左側面開閉窓３２ｂ、右側面開閉窓３３ｂおよび天井開閉窓３４ｂからも、外部の景色等が見えるため、視界が広がり、ゆったりとした快適な気分での入浴が可能になる。また、ガラス戸３６ａ等が曇った場合や換気を行う場合には、適宜、ガラス戸３６ａ，３６ｂ等を開けることができる。また、カウンター部２２に花や観葉植物等を置いて、この花等を見ながら湯船につかることもできる。
【００２６】
つぎに、前述したように構成された窓２０を組み付ける順序について説明する。窓２０の組み付けに際しては、まず、下部壁面パネル１１ａの上端面と、梁２６ａの上にカウンター部２２を載せて、固定金具２７ａ等で固定する。つぎに、カウンター部２２の左右両側の縁部に、それぞれ、左側面パネル２３と右側面パネル２４との下端部を位置決めする。この際、左側面パネル２３と左壁面パネル１４との端面を接面させ、右側面パネル２４と右壁面パネル１５との端面を接面させる。
【００２７】
そして、接合金具２７ｃ等を用いて、左側面パネル２３と左壁面パネル１４および右側面パネル２４と右壁面パネル１５とを固定する。なお、カウンター部２２の左右両側の縁部には、それぞれ溝部が設けられており、左側面パネル２３と右側面パネル２４との下端部を、その溝部に係合させる。また、カウンター部２２と、左側面パネル２３および右側面パネル２４とは、ねじによっても連結されている。
【００２８】
つぎに、左壁面パネル１４と右壁面パネル１５の外側縁部の上端に、欄間パネル１１ｂを取り付け、左側面パネル２３と右側面パネル２４との上端面に上部パネル２５を取り付ける。上部パネル２５は、固定金具２７ｂによって欄間パネル１１ｂに固定され、ねじ等によって左側面パネル２３と右側面パネル２４との上端面に固定される。
【００２９】
つぎに、カウンター部２２、左側面パネル２３、右側面パネル２４および上部パネル２５とで構成した窓枠部２１の外部側の縁部に、順次、底面部３１、左枠部３２、右枠部３３、上枠部３４および前枠部３５を、それぞれ固定金具３１ａ等を用いて取り付ける。これによって、ガラス戸３６ａ等を支持するための枠体が形成される。ついで、左枠部３２に左側面開閉窓３２ｂを取り付け、右枠部３３に右側面開閉窓３３ｂを取り付け、上枠部３４に天井開閉窓３４ｂを取り付ける。そして、前枠部３５に、レール３５ａ，３５ｂを取り付けるとともに、レール３５ａ，３５ｂにそれぞれガラス戸３６ａ，３６ｂを取り付けて、窓２０の組み付けが終了する。
【００３０】
以上のように、この窓２０の組み付けでは、下部壁面パネル１１ａの上方に各パネルを順次組みつけて行くことによって窓枠部２１を形成しながら欄間パネル１１ｂを取り付けるようにしている。したがって、容易に、左壁面パネル１４と左側面パネル２３との表面を同一面内に位置させることができ、右壁面パネル１５と右側面パネル２４との表面を同一面内に位置させることができる。
【００３１】
また、前述した実施形態では、窓２０を浴室１０に設けているが、本発明による窓構造は、これに限定するものでなく、居間や寝室等にも使用することができる。また、住宅だけでなく、事務所等として使用される建造物に用いることもできる。また、本発明の窓構造のその他の部分も、発明の技術的範囲内で、適宜変更実施が可能である。
【図面の簡単な説明】
【図１】本発明の一実施形態による窓構造を備えた浴室の内部を示す斜視図である。
【図２】壁面部に取り付けられた窓を示す縦断面図である。
【図３】壁面部に取り付けられた窓を示す横断面図である。
【図４】窓枠部の正面図である。
【符号の説明】
１０…浴室、１１…壁面部、１４…左壁面パネル、１５…右壁面パネル、２０…窓、２１…窓枠部、２２…カウンター部、２３…左側面パネル、２４…右側面パネル、２５…上部パネル、３０…窓部、３２ｂ…左側面開閉窓、３３ｂ…右側面開閉窓、３４ｂ…天井開閉窓、３５ａ，３５ｂ…レール、３６ａ，３６ｂ…ガラス戸。
【図１】
2004162272.tif 000003
【図２】
2004162272.tif 000004
【図３】
2004162272.tif 000005
【図４】
2004162272.tif 000006